【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
位置情報取得手段を備えた携帯通信端末と、
前記携帯通信端末が前記位置情報取得手段によって取得した自らの位置データを受信し、前記位置データに関連したコンテンツ要求を送信するＷｅｂサーバと、
前記コンテンツ要求に応じて前記位置データに関連したコンテンツをランドマーク情報データベースから検索し、検索結果を前記Ｗｅｂサーバに返信する位置コンテンツサーバとを備え、
前記Ｗｅｂサーバは、前記携帯通信端末に対して前記位置データに関連したランドマークの情報を含む画面を時間帯優先度に基づいて調整し、前記Ｗｅｂサーバのポータルサイトのトップページに生成し、前記携帯通信端末に送信することを特徴とする情報配信システム。
【請求項２】
位置情報取得手段を備えた携帯通信端末と通信可能なＷｅｂサーバであって、前記携帯通信端末から該携帯通信端末の位置データを受信し、前記位置データに関連したランドマークの情報を検索し、前記位置データに関連したランドマークの情報を含む画面を時間帯優先度に基づいて調整し、ポータルサイトのトップページに生成し、前記携帯通信端末に送信するＷｅｂサーバ。
【請求項３】
前記Ｗｅｂサーバは、前記位置データに関連したランドマークの情報を含む画面を前記携帯通信端末が前記位置データを取得した現在時刻に基づいて前記ポータルサイトのトップページに生成する、請求項２に記載のＷｅｂサーバ。
【請求項４】
前記Ｗｅｂサーバは、前記位置データに関連したランドマークの情報を含む画面を、前記携帯通信端末のユーザの属性情報を取得し、前記属性情報に基づいて前記ポータルサイトのトップページに生成する、請求項２または３に記載のＷｅｂサーバ。
【請求項５】
前記Ｗｅｂサーバは、前記位置データに関連したランドマークの情報を含む画面を前記携帯通信端末の現在位置と前記ランドマークの距離に基づいて前記ポータルサイトのトップページに生成する、請求項２乃至４に記載のＷｅｂサーバ。
【請求項６】
前記時間帯優先度は、時間帯、曜日、月、季節、および場所属性のうち少なくとも一つの統計的データによって求められる、請求項２乃至５に記載のＷｅｂサーバ。
【請求項７】
前記Ｗｅｂサーバは、前記携帯通信端末が自らの位置データを取得した時刻と現在時刻を比較し、その差が所定の値より大きい場合は、前記携帯通信端末に再度位置データを要求する、請求項２乃至６に記載のＷｅｂサーバ。
【請求項８】
位置情報に基づく情報配信方法であって、
位置情報取得手段を備えた携帯通信端末が、前記位置情報取得手段によって取得した自らの位置データをＷｅｂサーバに送信するステップと、
前記位置データを受信したＷｅｂサーバが、前記位置データに関連したコンテンツ要求を位置データ・コンテンツサーバに送信するステップと、
前記位置データ・コンテンツサーバが、前記コンテンツ要求に応じて前記位置データに関連したコンテンツをランドマーク情報データベースから検索し、検索結果を前記Ｗｅｂサーバに返信するステップと、
前記Ｗｅｂサーバは、前記携帯通信端末に対して前記位置データに関連したランドマークの情報を含む画面を時間帯優先度に基づいて調整し、前記Ｗｅｂサーバのポータルサイトのトップページに生成し、前記携帯通信端末に送信するステップと、
を含むことを特徴とする情報配信方法。
【請求項９】
位置情報に基づく情報配信方法のためのコンピュータ・プログラムであって、
位置情報取得手段を備えた携帯通信端末と通信可能なＷｅｂサーバに、
前記携帯通信端末から該携帯通信端末の位置データを受信するステップと、
前記位置データに関連したランドマークの情報を該ランドマークとの距離に基づいて検索するステップと、
前記位置データに関連したランドマークの情報を含む画面を該ランドマークとの距離と時間帯優先度とに基づいて調整し、ポータルサイトのトップページに生成するステップと、
前記携帯通信端末に送信するステップと、
を実行させるコンピュータ・プログラム。
【手続補正２】
【補正対象書類名】明細書
【補正対象項目名】０００７
【補正方法】変更
【補正の内容】
【０００７】
（１）  位置情報取得手段を備えた携帯通信端末と、
前記携帯通信端末が前記位置情報取得手段によって取得した自らの位置データを受信し、前記位置データに関連したコンテンツ要求を送信するＷｅｂサーバと、
前記コンテンツ要求に応じて前記位置データに関連したコンテンツをランドマーク情報データベースから検索し、検索結果を前記Ｗｅｂサーバに返信する位置データ・コンテンツサーバとを備え、
前記Ｗｅｂサーバは、前記携帯通信端末に対して前記位置データに関連したランドマークの情報を含む画面を時間帯優先度に基づいて調整し、前記Ｗｅｂサーバのポータルサイトのトップページに生成し、前記携帯通信端末に送信することを特徴とする情報配信システム。
【手続補正３】
【補正対象書類名】明細書
【補正対象項目名】０００８
【補正方法】変更
【補正の内容】
【０００８】
（１）の発明によれば、ＧＰＳ等なんらかの位置情報取得手段を備えた携帯通信端末からサービス提供者のＷｅｂサーバに対するコンテンツ要求を送信させ、その要求に応じて、ランドマークとなり得る建物、施設、店舗などの位置データを格納したランドマーク情報データベースを持つ位置データ・コンテンツサーバが、現在位置に適したランドマークの情報を検索する。その検索結果をＷｅｂサーバが得て、携帯通信端末のユーザに対してその現在位置に関連したランドマークの情報をポータルサイトのトップページに表示するようにした。このようにすることで、ユーザにとって、ユーザが現在いる位置情報に関する情報をリアルタイムに、かつ手軽に得られるシステムを提供することができる。更に、ランドマークの距離だけでなく、ユーザが現在位置を取得した現在時刻を時間帯毎に分類し、現在時刻の時間帯に応じた表示順序の優先度を参照することにより、ポータルサイトでの表示順序を調整することができる。例えば、都会で２３時に駅近くにいるような場合、その駅の終電時刻を表示するような場合が考えられる。このことにより、ユーザは、時間帯毎により適切な情報を得られる可能性が広がる。
【手続補正４】
【補正対象書類名】明細書
【補正対象項目名】０００９
【補正方法】変更
【補正の内容】
【０００９】
（２）  位置情報取得手段を備えた携帯通信端末と通信可能なＷｅｂサーバであって、前記携帯通信端末から該携帯通信端末の位置データを受信し、前記位置データに関連したランドマークの情報を検索し、前記位置データに関連したランドマークの情報を含む画面を時間帯優先度に基づいて調整し、ポータルサイトのトップページに生成し、前記携帯通信端末に送信するＷｅｂサーバ。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
（６）  前記時間帯優先度は、時間帯、曜日、月、季節、および場所属性のうち少なくとも一つの統計的データによって求められることを特徴とする、（２）〜（５）に記載のＷｅｂサーバ。
【手続補正８】
【補正対象書類名】明細書
【補正対象項目名】００２０
【補正方法】変更
【補正の内容】
【００２０】
（６）の発明によれば、時間帯優先度は、時間帯だけでなく、現在の日が属する曜日、月、季節、およびランドマークまたは現在位置の場所属性を考慮して決定される。このことにより、ユーザはより現在の場所、時刻に応じて最適な情報を得ることができる可能性が広がる。
【手続補正９】
【補正対象書類名】明細書
【補正対象項目名】００２１
【補正方法】変更
【補正の内容】
【００２１】
（７）  前記Ｗｅｂサーバは、前記携帯通信端末が自らの位置データを取得した時刻と現在時刻を比較し、その差が所定の値より大きい場合は、前記携帯通信端末に再度位置データを要求することを特徴とする、（２）〜（６）に記載のＷｅｂサーバ。
【手続補正１０】
【補正対象書類名】明細書
【補正対象項目名】００２２
【補正方法】変更
【補正の内容】
【００２２】
（７）の発明によれば、なんらかの理由で位置データを取得した時刻とＷｅｂサーバがその位置に関連したランドマークのコンテンツのデータを得た時刻が、所定の範囲以上の場合は、再度位置データを携帯通信端末から送信してもらうようにする。このようにすることで短時間に移動中のユーザに対しても最も直近のデータを得ることができる可能性が広がる。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】変更
【補正の内容】
【００２５】
（８）  位置情報に基づく情報配信方法であって、位置情報取得手段を備えた携帯通信端末が、前記位置情報取得手段によって取得した自らの位置データをＷｅｂサーバに送信するステップと、前記位置データを受信したＷｅｂサーバが、前記位置データに関連したコンテンツ要求を位置データ・コンテンツサーバに送信するステップと、前記位置データ・コンテンツサーバが、前記コンテンツ要求に応じて前記位置データに関連したコンテンツをランドマーク情報データベースから検索し、検索結果を前記Ｗｅｂサーバに返信するステップと、  前記Ｗｅｂサーバは、前記携帯通信端末に対して前記位置データに関連したランドマークの情報を含む画面を時間帯優先度に基づいて調整し前記Ｗｅｂサーバのポータルサイトのトップページに生成し、前記携帯通信端末に送信するステップと、を含むことを特徴とする情報配信方法。
【手続補正１４】
【補正対象書類名】明細書
【補正対象項目名】００２６
【補正方法】変更
【補正の内容】
【００２６】
（８）の発明によれば、（１）のシステムの機能を方法の発明としてとらえ、（１）のシステムと同様な効果を提供することができる。
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】変更
【補正の内容】
【００２９】
（９）  位置情報に基づく情報配信方法のためのコンピュータ・プログラムであって、位置情報取得手段を備えた携帯通信端末と通信可能なＷｅｂサーバに、前記携帯通信端末から該携帯通信端末の位置データを受信するステップと、前記位置データに関連したランドマークの情報を該ランドマークとの距離に基づいて検索するステップと、前記位置データに関連したランドマークの情報を含む画面を該ランドマークとの距離と時間帯優先度とに基づいて調整しポータルサイトのトップページに生成するステップと、前記携帯通信端末に送信するステップと、を実行させることを特徴とするコンピュータ・プログラム。
【手続補正１８】
【補正対象書類名】明細書
【補正対象項目名】００３０
【補正方法】変更
【補正の内容】
【００３０】
（９）の発明によれば（８）の方法の各ステップを、それらを実行するコンピュータ・プログラムの発明ととらえ、（８）の方法と同様な効果を提供することができる。